(57)【要約】【課題】薬品を使用せずに、基板に付着した有機物を効率よく確実に除去することができる洗浄処理装置を提供することにある。【解決手段】基板を搬送する搬送手段１と、搬送される基板の有機物が付着した板面に加熱された水蒸気を噴射する水蒸気噴射ノズル１と、搬送される基板に付着した有機物に物理力を付与するシャワー装置６とを具備する。【選択図】      図１
2007237119.tif 000002
【特許請求の範囲】
【請求項１】
基板に付着した有機物を除去する洗浄処理装置であって、
上記基板を搬送する搬送手段と、
搬送される上記基板の有機物が付着した板面に加熱された水蒸気を噴射する水蒸気噴射手段と、
搬送される上記基板に付着した有機物に物理力を付与する物理力付与手段と
を具備したことを特徴とする基板の洗浄処理装置。
【請求項２】
上記物理力付与手段は、加圧された洗浄液を上記基板の有機物が付着した面に噴射するシャワー装置であることを特徴とする請求項１記載の基板の洗浄処理装置。
【請求項３】
上記物理力付与手段は、洗浄液と気体を混合して上記基板の有機物が付着した面に噴射する二流体ノズル装置であることを特徴とする請求項１記載の基板の洗浄処理装置。
【請求項４】
上記物理力付与手段は、洗浄液を加圧して上記基板の有機物が付着した面に噴射する高圧流体噴射装置であることを特徴とする請求項１記載の基板の洗浄処理装置。
【請求項５】
上記物理力付与手段は、上記基板の有機物が付着した面に洗浄液を供給しながらブラシ洗浄する洗浄ブラシ装置であることを特徴とする請求項１記載の基板の洗浄処理装置。
【請求項６】
基板に付着した有機物を除去する洗浄処理方法であって、
上記基板を搬送する搬送工程と、
搬送される基板の有機物が付着した板面に加熱された水蒸気を噴射する工程と、
搬送される基板に付着した有機物に物理力を付与する工程と
を具備したことを特徴とする基板の洗浄処理方法。
【請求項７】
基板の有機物が付着した板面に水蒸気を噴射してから、物理力を付与することを特徴とする請求項６記載の基板の洗浄処理方法。
【請求項８】
基板の有機物が付着した板面に物理力を付与してから、水蒸気を噴射することを特徴とする請求項６記載の基板の洗浄処理方法。
【請求項９】
上記水蒸気は１００℃以上に加熱されていることを特徴とする請求項６記載の基板の洗浄処理方法。
【発明の詳細な説明】
【技術分野】
【０００１】
この発明は基板の板面に付着した有機物を除去するための基板の洗浄処理装置及び洗浄処理方法に関する。
【背景技術】
【０００２】
たとえば、液晶表示装置を製造する場合、ガラス製の基板に回路パターンを形成するリソグラフィープロセスがある。このリソグラフィープロセスは、周知のようにエッチングを行なうためのレジスト膜を塗布したり、保護膜や層間絶縁膜を形成するためにポリイミド膜を塗布するということが行なわれる。
【０００３】
上記基板に所定の回路パターンを形成したならば、基板に残留する不要なレジスト膜やポリイミド膜を除去する、洗浄処理が行なわれる。基板上に残留する不要なレジスト膜やポリイミド膜などの有機物を洗浄処理する場合、従来は薬液が用いられていた。たとえば、レジスト膜の場合にはアミン系剥離液が用いられ、ポリイミド膜の場合にはＮＭＰ（Ｎ−メチルー２−ピロリドン）が用いられる。
【０００４】
また、最近では基板サイズの大型化に伴い、処理前の基板を保護するためにフィルムや合紙を貼付して梱包するということが行われている。そのため、処理前の基板表面には科飼う主有機物が付着しているということがあり、そのような場合には有機物を除去するためにアルカリ系潜在を用いた洗浄処理が行われるということがある。
【０００５】
基板を薬液を用いて洗浄処理する先行技術としては特許文献１がある。
【特許文献１】特開２００５−３２８１９号公報
【発明の開示】
【発明が解決しようとする課題】
【０００６】
しかしながら、薬液を用いて基板に付着する有機物を除去する場合、上述したアミン系剥離液、ＮＭＰ或いはアルカリ系洗剤は高価であるため、基板の洗浄処理に要するコストが増大するということがある。
【０００７】
さらに、使用後の薬液を処理せずに廃棄すると、公害の発生原因となるから、その廃棄処理に多くの手間が掛かるということがあるばかりか、薬液によって有機物を除去するには、薬液による化学反応で有機物を分解除去するため、有機物が分解されるまでに時間が掛かり、処理に要するタクトタイムが長くなるなどのことがあった。
【０００８】
この発明は、薬液を用いることなく、基板に付着した有機物を洗浄除去することができるようにした基板の洗浄処理装置及び洗浄処理方法を提供することにある。
【課題を解決するための手段】
【０００９】
この発明は、基板に付着した有機物を除去する洗浄処理装置であって、
上記基板を搬送する搬送手段と、
搬送される上記基板の有機物が付着した板面に加熱された水蒸気を噴射する水蒸気噴射手段と、
搬送される上記基板に付着した有機物に物理力を付与する物理力付与手段と
を具備したことを特徴とする基板の洗浄処理装置にある。
【００１０】
上記物理力付与手段は、加圧された洗浄液を上記基板の有機物が付着した面に噴射するシャワー装置であることが好ましい。
【００１１】
上記物理力付与手段は、洗浄液と気体を混合して上記基板の有機物が付着した面に噴射する二流体ノズル装置であることが好ましい。
【００１２】
上記物理力付与手段は、洗浄液を加圧して上記基板の有機物が付着した面に噴射する高圧流体噴射装置であることが好ましい。
【００１３】
上記物理力付与手段は、上記基板の有機物が付着した面に洗浄液を供給しながらブラシ洗浄する洗浄ブラシ装置であることが好ましい。
【００１４】
この発明は、基板に付着した有機物を除去する洗浄処理方法であって、
上記基板を搬送する搬送工程と、
搬送される基板の有機物が付着した板面に加熱された水蒸気を噴射する工程と、
搬送される基板に付着した有機物に物理力を付与する工程と
を具備したことを特徴とする基板の洗浄処理方法にある。
【００１５】
基板の有機物が付着した板面に水蒸気を噴射してから、物理力を付与することが好ましい。
【００１６】
基板の有機物が付着した板面に物理力を付与してから、水蒸気を噴射することが好ましい。
【００１７】
上記水蒸気は１００℃以上に加熱されていることが好ましい。
【発明の効果】
【００１８】
この発明によれば、基板の有機物が付着した面に、加熱された水蒸気の噴射と、物理力の付与とを行なうようにした。基板に噴射された水蒸気は有機物を浸透して基板との界面に到達して有機物の基板に対する密着力を低減し、物理力を付与することで、有機物の膜に傷を付ける。
【００１９】
したがって、基板に対して水蒸気の噴射と物理力の付与とを組み合わせて行なうことで、有機物を基板の板面から薬液を用いずに能率よく除去することが可能となる。
【発明を実施するための最良の形態】
【００２０】
以下、この発明の実施の形態を図面を参照して説明する。
【００２１】
図１はこの発明の第１の実施の形態を示す基板の洗浄処理装置であって、この洗浄処理装置は基板Ｗを水平な状態で矢印Ｘ方向に搬送する搬送手段１を備えている。この搬送手段１は軸線を平行にして同じ高さで配置された複数の搬送軸２を有し、各搬送軸２には複数の搬送ローラ３が所定間隔で設けられている。
【００２２】
上記搬送軸２は図示しない駆動源によって回転駆動される。それによって、上記基板Ｗは洗浄除去すべき有機物が膜状に付着した板面を上にして上記搬送ローラ３によって同図に矢印Ｘで示す方向に搬送されるようになっている。
【００２３】
搬送される基板Ｗの上方には、水蒸気噴射手段としての水蒸気噴射ノズル５と、物理力付与手段としてのシャワー装置６とが上記基板Ｗの搬送方向に沿って順次配置されている。
【００２４】
基板Ｗの搬送方向上流側に配置された上記水蒸気噴射手段５は純水や水道水などの洗浄液を加熱して水蒸気を発生させる第１の加熱器７を有する。この第１の加熱器７で作られた水蒸気は開閉弁８を有する蒸気供給配管９を通じて上記水蒸気噴射ノズル５に供給さる。そして、水蒸気噴射ノズル５に供給された水蒸気は矢印Ｘで示す方向に搬送される基板Ｗの膜状の有機物が付着した上面に向けて噴射される。
【００２５】
上記第１の加熱器７で生成されて蒸気供給管９に供給される水蒸気の温度は１００℃以上、たとえば１４０℃であって、圧力は大気圧あるいは大気圧よりも高い圧力のいずれでもよく、この実施の形態では大気圧に設定される。
【００２６】
なお、水蒸気の温度は第１の加熱器７に設けられた図示しないヒータへの給電を制御することで設定でき、圧力は第１の加熱器７に設けられた圧力調整弁１１を調整することで設定できる。
【００２７】
上記シャワー装置６には第２の加熱器１２と加圧ポンプ１３を有する給水管１４が接続されている。給水管１４には純水や水道水などの洗浄液が供給される。給水管１４に供給された洗浄液は上記第２の加熱器１２で６０℃以上に加熱され、上記加圧ポンプ１３で１ＭＰａ以上の圧力に加圧する。
【００２８】
この実施の形態では、上記第２の加熱器１２は洗浄液を７０℃に加熱し、上記加圧ポンプ１３は加熱された洗浄液を５ＭＰａの圧力に加圧して上記シャワー装置６に供給するようになっている。
【００２９】
このように構成された洗浄処理装置において、上面に有機物が付着した基板Ｗが搬送ローラ３によって矢印Ｘ方向に搬送されて水蒸気噴射ノズル５の下方に到達すると、基板Ｗの上面には１４０℃に加熱された水蒸気が幅方向全長にわたって大気圧で噴射供給される。
【００３０】
基板Ｗの上面に供給された水蒸気は、その上面に付着した膜状の有機物に浸透し、基板Ｗの板面と有機物との界面に到達する。それによって、基板Ｗの板面に対する有機物の密着力が低減し、基板Ｗの板面から有機物が浮き上がる。さらに、水蒸気が１４０℃の高温度であるため、有機物の加水分解や熱分解が促進される。
【００３１】
水蒸気噴射ノズル５の下方を通過した基板Ｗはシャワー装置６の下方へ搬送される。シャワー装置６では、基板Ｗに７０℃に加熱された洗浄液が５ＭＰａの高圧で基板Ｗの幅方向全長にわたって供給される。
【００３２】
シャワー装置６の下方に搬送されてきた基板Ｗは、シャワー装置６の上流の水蒸気噴射ノズル５から噴射された水蒸気によって有機物が板面から浮き、しかも分解が促進された状態となっている。つまり、基板Ｗ上の有機物は脆弱化している。
【００３３】
そのため、基板Ｗの板面上で脆弱化した有機物は、シャワー装置６から基板Ｗに噴射される洗浄液の圧力によって粉砕されながら除去されるばかりか、基板Ｗの上面は加熱加圧された洗浄液によって清浄に洗浄される。つまり、洗浄液は７０℃に加熱され、５ＭＰａ加圧されているから、基板Ｗの板面に微細な有機物が付着残留していても、その有機物も清浄に洗浄除去される。
【００３４】
このように、基板Ｗの有機物が付着した面に、高温の水蒸気を供給してから、加熱加圧された洗浄液を噴射して物理力を付与するようにしたから、薬液を用いることなく、上記有機物を基板Ｗの板面から除去することができる。
【００３５】
しかも、高温の水蒸気によって基板Ｗの板面に対する有機物の密着力を低減させてから、高圧の洗浄液を噴射して物理力を付与するため、有機物を薬液によって化学反応で除去する場合に比べ、能率よく迅速に除去することが可能となる。つまり、作業に要するタクトタイムを短縮することができる。
【００３６】
図２は図１に示す第１の実施の形態の変形例を示す、この発明の第２の実施の形態である。この第２の実施の形態は基板Ｗの搬送方向の上流側に物理力付与手段としてのシャワー装置６が配置され、下流側に水蒸気噴射ノズル５が配置されている。
【００３７】
シャワー装置６と水蒸気噴射ノズル５の配置を逆にすると、基板Ｗに付着した有機物は、まず、シャワー装置６から噴射される高圧の洗浄液から物理力を受けることで、その有機物の膜に欠陥が形成される。つまり多数の傷が形成される。
【００３８】
有機物の膜に多数の傷が形成された状態の基板Ｗに、水蒸気噴射ノズル５によって高温の水蒸気が噴射されると、基板Ｗの有機物には傷が付いていることで水蒸気との接触面積が増大するため、水蒸気が有機物の膜に浸透し易くなる。
【００３９】
そのため、有機物は水蒸気によって基板Ｗの板面から剥がされて除去されることになる。この場合、水蒸気の圧力を大気圧よりも高く設定しておけば、有機物は基板Ｗの板面から効率よく剥がして除去することができる。
【００４０】
図３はこの発明の第３の実施の形態を示す。この第３の実施の形態は水蒸気噴射ノズル５の下流側に、物理力付与手段として二流体ノズル装置１７が配置されている。二流体ノズル装置１７には、給水管１８によって６０℃以上、たとえば７０℃に加熱された洗浄液が供給されるとともに、所定の圧力、たとえば０．２ＭＰａに加圧された圧縮空気が給気管１９を通じて供給される。そして、二流体ノズル装置１７に供給された洗浄液は、圧縮空気によって加圧されることで、ミスト状となって基板Ｗに向かって噴射される。
【００４１】
二流体ノズル装置１７から噴射される、加圧加熱されたミスト状の洗浄液は、基板Ｗの板面に物理力を付与する。それによって、上流側の水蒸気噴射ノズル５で基板Ｗの板面に対する密着力が弱められた有機物は二流体ノズル装置１７から噴射されるミスト状の流体の圧力によって、粉砕されて基板Ｗの板面から洗浄除去される。
【００４２】
すなわち、この第３の実施の形態においても、基板Ｗの板面に付着した有機物を水蒸気と物理力とによって確実に、しかも迅速に除去することができる。
【００４３】
下記に示す［表１］は、二流体ノズル装置１７に供給される洗浄液の温度を変えたときの洗浄効果を測定したものである。洗浄効果は基板Ｗの洗浄液が供給された面積に対し、有機物が剥離された面積の割合である。
【００４４】
なお、基板Ｗの洗浄条件は、基板Ｗの搬送速度が３０００ｍｍ／ｍｉｎ、蒸気設定温度が１８０℃、二流体ノズル装置１７からの洗浄液の吐出圧力が０．４ＭＰａである。
【表１】
2007237119.tif 000003
【００４５】
上記［表１］から分かるように、洗浄液の温度が６０℃以上になると、基板Ｗの板面に付着した有機物の剥離面積が急激に増大することが確認された。すなわち、洗浄液の温度が４０℃では有機物の剥離面積が５０％であったが、６０℃にすることで８０％に向上した。このことから、洗浄液の温度を６０℃以上にすることで、洗浄効果が向上することが確認できた。
【００４６】
図４は第３の実施の形態の変形例を示す、この発明の第４の実施の形態であって、この実施の形態は基板Ｗの搬送方向上流側に物理力付与手段としての二流体ノズル装置１７が配置され、下流側に水蒸気噴射ノズル５が配置されている。
【００４７】
二流体ノズル装置１７と水蒸気噴射ノズル５の配置を第３の実施の形態の状態から逆にすると、基板Ｗに付着した有機物は、まず、二流体ノズル装置１７から噴射される高圧の洗浄液から物理力を受けることで、その有機物の膜に欠陥が形成される。つまり多数の傷が形成される。
【００４８】
有機膜に多数の傷が形成された状態で基板Ｗが水蒸気噴射ノズル５の下方に搬送され、この水蒸気噴射ノズル５から基板Ｗに水蒸気が噴射される。基板Ｗに付着した有機物は二流体ノズル装置１７から受けた物理力によって傷が付けられているから、有機物と水蒸気との接触面積が増大して水蒸気が有機物に浸透し易くなる。
【００４９】
そのため、有機物は水蒸気によって基板Ｗの板面から剥がされて除去されることになる。その際、水蒸気の圧力を大気圧よりも高く設定しておけば、有機物は基板Ｗの板面から効率よく剥がされるばかりか、剥がされた有機物は基板Ｗの板面から除去され易くなる。
【００５０】
図５はこの発明の第５の実施の形態を示す。この実施の形態は基板Ｗの搬送方向上流側に水蒸気噴射ノズル５が配置され、その下流側に物理力付与手段としての高圧流体噴射装置２１が配置されている。高圧流体噴射装置２１は６０℃以上、この実施の形態ではたとえば７０℃に加熱した洗浄液を１ＭＰａ以上の高圧力、たとえば５ＭＰａに加圧して噴射するようになっている。
【００５１】
すなわち、高圧流体噴射装置２１には給液管２２ａによって７０℃に加熱された洗浄液が供給されるとともに、給気管２２ｂによって５ＭＰａに加圧された気体が供給される。それによって、高圧流体噴射装置２１から基板Ｗの上面には、気泡を巻き込んだ洗浄液が高圧で噴射供給される。
【００５２】
搬送手段１によって搬送される基板Ｗは、搬送方向上流側に位置する水蒸気噴射ノズル５から噴射される水蒸気によって有機物の密着力が弱められてから、高圧流体噴射装置２１から噴射される洗浄液及び洗浄液に含まれる高圧の気泡によって物理力を受ける。
【００５３】
それによって、基板Ｗの板面の有機物は気泡から受ける衝撃波によって粉砕され、基板Ｗの板面から除去される。つまり、基板Ｗの板面に付着した有機物を水蒸気と物理力とによって確実に、しかも迅速に除去することができる。
【００５４】
図６は第５の実施の形態の変形例を示す、この発明の第６の実施の形態であって、この実施の形態は基板Ｗの搬送方向上流側に物理力付与手段としての高圧流体噴射装置２１が配置され、下流側に水蒸気噴射ノズル５が配置されている。つまり、図５に示す第５の実施の形態と逆に配置されている。
【００５５】
高圧流体噴射装置２１と水蒸気噴射ノズル５の配置を逆にすると、基板Ｗに付着した有機物は、まず、高圧流体噴射装置２１から噴射される加圧加熱された洗浄液から物理力を受けることで、その有機物の膜に欠陥が形成される。つまり多数の傷が形成される。
【００５６】
有機膜に多数の傷が形成された状態で基板Ｗが水蒸気噴射ノズル５の下方に搬送されてきて水蒸気が噴射されると、基板Ｗに付着した有機物に傷が付いていることで、有機物と水蒸気との接触面積が増大するため、水蒸気が有機物に浸透し易くなる。
【００５７】
そのため、有機物は基板Ｗの板面から水蒸気によって剥がされて洗い流されることになる。その場合、水蒸気の圧力を大気圧よりも高く設定しておけば、有機物は基板Ｗの板面から効率よく剥がされるばかりか、剥がされた有機物は基板Ｗの板面から除去され易くなる。
【００５８】
図７はこの発明の第７の実施の形態を示す。この実施の形態は基板Ｗの搬送方向上流側に水蒸気噴射ノズル５が配置され、その下流側に物理力付与手段としての洗浄ブラシ装置２３が配置されている。洗浄ブラシ装置２３は樹脂系のブラシ毛を基板Ｗの上面に接触させて回転駆動される洗浄ブラシ２４と、洗浄ブラシ２４に洗浄液を供給するシャワーノズル２５によって構成されている。シャワーノズル２５には給液管２６が接続され、この給液管２６は所定の温度、たとえば７０℃に加熱された洗浄液を上記シャワーノズル２５と通じて上記洗浄ブラシ２４に供給する。
【００５９】
このような構成によれば、上流側の水蒸気噴射ノズル５で基板Ｗの板面に対する密着力が弱められた有機物は洗浄ブラシ装置２３の洗浄ブラシ２４に擦られて物理力を受けることで、基板Ｗの板面から剥がされるとともに、シャワーノズル２５から供給される洗浄液によって洗浄除去される。したがって、基板Ｗの板面に付着した有機物を水蒸気と物理力とによって確実に、しかも迅速に除去することができる。
【００６０】
図８は第７の実施の形態の変形例を示す、この発明の第８の実施の形態であって、この実施の形態は基板Ｗの搬送方向下流側に水蒸気噴射ノズル５が配置され、その上流側に物理力付与手段としての洗浄ブラシ装置２３が配置されている。
【００６１】
それによって、基板Ｗに付着した有機物は、まず、洗浄ブラシ装置２３の洗浄ブラシ２４で擦られて物理力を受けることで、その有機物の膜に多数の傷が形成される。有機膜に多数の傷が付けられた状態の基板Ｗに、水蒸気噴射ノズル５から水蒸気が噴射されると、基板Ｗに付着した有機物に傷が付いていることで、有機物と水蒸気との接触面積が増大するため、水蒸気が有機物に浸透し易くなる。そのため、有機物は基板Ｗの板面から水蒸気によって剥がされて除去されることになる。
【００６２】
この発明は上記各実施の形態に限定されるものでなく、たとえば基板によっては上面だけでなく、下面にも有機物が付着していることがある。そのような場合には、上述した第１乃至第８の実施の形態に示された水蒸気噴射ノズルと物理力付与手段を、搬送される基板の下面側にも対向させて配置すれば、下面に付着した有機物を、上面と同様に洗浄除去することができる。
【００６３】
また、洗浄液の温度を６０℃以上に加熱することで、洗浄効果が得れることを図３に示す第３の実施の形態に基づいて実験したが、他の実施の形態においても、洗浄液を６０℃以上に加熱することで、同様の効果が得られると考えられる。
【図面の簡単な説明】
【００６４】
【図１】この発明の第１の実施の形態を示す洗浄処理装置の概略的構成図。
【図２】図１に示す洗浄処理装置の変形例を示すこの発明の第２の実施の形態の洗浄処理装置の概略的構成図。
【図３】この発明の第３の実施の形態を示す洗浄処理装置の概略的構成図。
【図４】図３に示す洗浄処理装置の変形例を示すこの発明の第４の実施の形態の洗浄処理装置の概略的構成図。
【図５】この発明の第５の実施の形態を示す洗浄処理装置の概略的構成図。
【図６】図５に示す洗浄処理装置の変形例を示すこの発明の第６の実施の形態の洗浄処理装置の概略的構成図。
【図７】この発明の第７の実施の形態を示す洗浄処理装置の概略的構成図。
【図８】図７に示す洗浄処理装置の変形例を示すこの発明の８の実施の形態の洗浄処理装置の概略的構成図。
【符号の説明】
【００６５】
１…搬送手段、２…搬送軸、３…搬送ローラ、５…水蒸気噴射ノズル、６…シャワー装置（物理力付与手段）、１７…に流体ノズル装置（物理力付与手段）、２１…高圧流体噴射装置（物理力付与手段）、２３…洗浄ブラシ装置（物理力付与手段）。
【図１】
2007237119.tif 000004
【図２】
2007237119.tif 000005
【図３】
2007237119.tif 000006
【図４】
2007237119.tif 000007
【図５】
2007237119.tif 000008
【図６】
2007237119.tif 000009
【図７】
2007237119.tif 000010
【図８】
2007237119.tif 000011